(57)【要約】【課題】取付部材を確実に固定できるとともに、取付部材を容易に着脱できる電気掃除機を提供する。【解決手段】取付部材３２に係止部４１と突起部４３を設ける。係止部４１と突起部４３を弾性変形させて取付部材３２を取付部２７に取り付け、弾性変形を復元させる。係止部４１と突起部４３とが取付部２７に引っ掛からず、取付部材３２を取付部２７に対して容易に着脱できる。係止部４１を係止孔部２９に係合させるとともに、突起部４３を取付リブ２５の側面部に当接させる。係止部４１と突起部４３とで取付部材３２を取付部２７に確実に固定できる。【選択図】        図１
2004229968.tif 000002
【特許請求の範囲】
【請求項１】
電動送風機を収容した掃除機本体と、
この掃除機本体内に着脱可能に取り付けられる取付部材と、
前記掃除機本体内に設けられた係止孔部と、
前記取付部材に設けられ、この取付部材を前記掃除機本体内に取り付ける際に弾性変形され、この弾性変形が復元した状態で前記係止孔部に係止される係止部と、
前記取付部材に設けられ、前記係止部が弾性変形された際にこの係止部と連動して弾性変形し、この弾性変形が復元した状態で前記掃除機本体内の一部に当接する突起部と
を具備したことを特徴とした電気掃除機。
【請求項２】
突起部は、係止部の弾性変形が復元した状態で掃除機本体内の一部を押圧する
ことを特徴とした請求項１記載の電気掃除機。
【請求項３】
突起部は、係止部の弾性変形量よりも弾性変形量が少ない
ことを特徴とした請求項２記載の電気掃除機。
【請求項４】
電動送風機の吸込側に連通して掃除機本体に設けられた集塵室と、
前記掃除機本体に設けられ、前記集塵室内に少なくとも紫外線を導入する窓部とを具備し、
取付部材は、前記窓部から導入される紫外線により励起されて前記集塵室内を消臭する光触媒部材を備えた
ことを特徴とした請求項１ないし３いずれか一記載の電気掃除機。
【発明の詳細な説明】
【０００１】
【発明の属する技術分野】
本発明は、掃除機本体内に着脱可能に取り付けられる取付部材を備えた電気掃除機に関する。
【０００２】
【従来の技術】
従来、例えば集塵パック式の電気掃除機は、電動送風機を収容した掃除機本体としての本体ケースを備え、この本体ケース内に設けられ電動送風機の吸込側に連通した集塵室内には、集塵パックが着脱可能に取り付けられている。
【０００３】
そして、集塵室を開閉可能に閉塞する蓋体としての集塵蓋を本体ケースに設け、集塵室内を消臭および殺菌などする消臭部材を集塵蓋の集塵室側に設けた電気掃除機が知られている（例えば、特許文献１参照。）。
【０００４】
この消臭部材は、長期に亘って効果を持続するために、集塵蓋に対して着脱可能にして洗浄などができるようにするとよい。この点、消臭部材をフィルタ状に形成して枠体に取り付けて取付部材を構成し、この取付部材の枠体に弾性変形可能な係止部を設け、この係止部を弾性変形させて、集塵蓋に設けたリブの係止孔部に係止させる構成が考えられる。
【０００５】
しかしながら、このような構成では、取付部材の確実な固定が容易でなく、電動送風機の駆動などによる振動で取付部材が振動し、異音が発生するおそれがある。
【０００６】
また、取付部材の振動による異音を防止するために、取付部材を集塵蓋に取り付けた際に集塵蓋を押圧して突っ張る突起部を取付部材の枠体に設ける構成も考えられる。
【０００７】
しかしながら、このような構成では、この突起部がリブに引っ掛かって取付部材の取り付けが容易でない。
【０００８】
【特許文献１】
実開平５−５１２３６号公報（第６−７頁、図２）
【０００９】
【発明が解決しようとする課題】
上述したように、上記構成では、取付部材を容易に着脱できるように取付部材を確実に固定することが容易でないという問題点を有している。
【００１０】
本発明はこのような点に鑑みなされたもので、取付部材を確実に固定できるとともに、取付部材を容易に着脱できる電気掃除機を提供することを目的とする。
【００１１】
【課題を解決するための手段】
本発明は、掃除機本体内に着脱可能に取り付けられる取付部材と、掃除機本体内に設けられた係止孔部と、取付部材に設けられ、この取付部材を掃除機本体内に取り付ける際に弾性変形され、この弾性変形が復元した状態で係止孔部に係止される係止部と、係止部が弾性変形された際にこの係止部と連動して弾性変形し、この弾性変形が復元した状態で掃除機本体内の一部に当接する突起部とを具備したものである。そして、係止部を弾性変形させることで突起部も弾性変形するので、取付部材を掃除機本体内に取り付ける際に係止部および突起部が引っ掛かることなどがなく容易に着脱でき、かつ係止部および突起部の弾性変形が復元して係止部が係止孔部に係止され、突起部が掃除機本体内の一部に当接することで、取付部材を確実に固定できる。
【００１２】
【発明の実施の形態】
以下、本発明の電気掃除機の一実施の形態の構成を図１ないし図７を参照して説明する。
【００１３】
図６において、１はいわゆるキャニスタ型の電気掃除機である。この電気掃除機１は、中空な下部ケース体２、この下部ケース体２の上部に取り付けられた上部ケース体３、および、下部ケース体２の両側面に沿って取り付けられたバンパ４を有する掃除機本体としての本体ケース５を備えている。この上部ケース体３は、下部ケース体２の後側にねじ止めにて取り付けられた上部ケース体本体６と、この上部ケース体本体６の前側に上下方向に回動可能に取り付けられ、下部ケース体２の前側上部を開閉可能に覆う蓋体としての集塵蓋７とを有している。
【００１４】
また、本体ケース５の前側下部には、図５に示すように、旋回輪８が旋回自在かつ回転自在に取り付けられている。さらに、本体ケース５の後側両側部には、図５および図６に示すように、大径の走行輪９がそれぞれ前後方向に回転自在に取り付けられている。これら旋回輪８および走行輪９により、本体ケース５は被掃除面としての床面上を走行可能となっている。
【００１５】
そして、下部ケース体２内の底部には、隔壁１１が一体に設けられ、本体ケース５内に集塵室１２、および、吸込用の電動送風機１３が収容された電動送風機室１４が、前後にそれぞれ区画形成されている。ここで、集塵室１２は、上側を集塵蓋７にて開閉可能に閉塞される。したがって、集塵蓋７は、集塵室１２の一部を構成している。
【００１６】
また、下部ケース体２の前側には、本体吸込口１５が貫通して設けられ、集塵室１２に連通している。この本体吸込口１５の上方には、係合体１６が前後方向に回動可能に設けられている。この係合体１６は、本体吸込口１５の集塵室１２側の開口に取り付けられた集塵パック１７の上端部を着脱可能に保持してこの集塵パック１７を集塵室１２内に固定する。
【００１７】
また、集塵蓋７で集塵室１２を閉塞した際のこの集塵室１２の上部になる位置には、本体ケース５の前後方向に長手状の略楕円形状の開口部である窓部２１が貫通して設けられている。この窓部２１は、透光性部材としての蓋カバー２２で覆われている。この蓋カバー２２は、例えばフッ素系樹脂、アクリル、あるいはポリカーボネートなどの合成樹脂にて透明、あるいは半透明に形成されている。このため、窓部２１からは、本体ケース５の外部からの少なくとも紫外線を含む光が、蓋カバー２２を介して集塵室１２内に導入される。
【００１８】
さらに、本体ケース５内である集塵蓋７の裏面の周囲には、図２に示すように、リブ２３が下方向に向けて突出し全周に亘って設けられている。また、集塵蓋７の後端部に位置したリブ２３の前側面には、集塵蓋７を補強する複数、例えば６本の補強リブ２４が設けられている。これら補強リブ２４は、集塵蓋７の上下方向に沿って前方向に突出し、幅方向に互いに略平行に等間隔に離間されている。
【００１９】
またさらに、集塵蓋７の幅方向の両端から幅方向の中心側に向けて２番目の補強リブ２４，２４は、それぞれ取付リブ２５，２５となっている。これら取付リブ２５，２５は、集塵蓋７の前後方向に略沿って集塵蓋７の前端部近傍に亘って設けられ、下方向に向けて突出している。また、取付リブ２５，２５の前端部には、集塵蓋７の幅方向に沿って下方向に突出した前部リブ２６が一体に設けられている。この前部リブ２６は、集塵蓋７の前端部に位置したリブ２３に向けて両端部が屈曲され、平面視略コ字状に設けられている。この前部リブ２６と集塵蓋７の前端部に位置したリブ２３の後側面との間は、集塵蓋７で集塵室１２を閉塞した際に係合体１６の上端部を支持する。
【００２０】
そして、集塵室１２の上側面となる集塵蓋７の裏側の窓部２１の周囲には、リブ２３、取付リブ２５，２５および前部リブ２６により、窓部２１を矩形状に取り囲むように取付部２７が形成されている。
【００２１】
取付リブ２５の前後方向の中心域は、取付部２７の側方に向けてそれぞれ矩形状に屈曲されて嵌合部２８となっている。この嵌合部２８に位置した取付リブ２５の側面部には、図１に示すように、細長略矩形状の係止孔部２９が貫通して設けられている。
【００２２】
取付部２７内の前部リブ２６の後部と窓部２１の前端部との間には、図２に示すように、前部リブ２６の突出方向に沿って突出した複数、例えば一対の係合リブ３１が互いに幅方向に離間されて設けられている。これら係合リブ３１は、平面視で略十字状に形成されている。
【００２３】
そして、取付部２７には、図１に示すように、取付部材３２が窓部２１に対向して着脱可能に取り付けられる。この取付部材３２は、図３および図４に示すように、枠体３３、および、この枠体３３に取り付けられたフィルタ３４を備え、消臭、抗菌、殺菌および殺虫などが可能である。
【００２４】
枠体３３は、略正方形枠状の枠部３５を有しており、この枠部３５には上下方向および左右方向に沿って複数、例えば２本ずつの格子状のリブ部３６が一体に設けられている。ここで、枠部３５の幅寸法は、両取付リブ２５の間の距離寸法よりも若干小さく形成されている。したがって、枠部３５は、取付部材３２を取付部２７内に取り付けた際に、取付リブ２５の内側面から若干離間される。また、枠部３５の両側部には、図３に示すように、それぞれ一対の係止突部３７が側方に向けて突出して設けられている。
【００２５】
各係止突部３７は、図３に示す枠部３５の上下方向の中心域よりも若干上側に偏位して設けられている。またさらに、各係止突部３７は、枠部３５の一部がこの枠部３５の側方に矩形状に屈曲されて略矩形状にそれぞれ設けられている。また、各係止突部３７は、枠部３５の厚さ方向である表裏方向、すなわち図４に示す左右方向全体に亘ってそれぞれ設けられている。さらに、各係止突部３７は、取付部材３２の表側である枠体３３の前側、すなわち図４に示す左側に向けて、長手寸法が小さくなるように図４に示す上下側がそれぞれ傾斜して形成されている。そして、各係止突部３７の突出寸法は、取付リブ２５の内側面から嵌合部２８の内側面までの距離寸法、すなわち嵌合部２８の窪み寸法と略等しく設定されている。また、両係止突部３７の先端部の間の距離寸法は、両嵌合部２８の間の距離寸法と略等しく形成されている。
【００２６】
さらに、各係止突部３７には、矩形状の切欠部３８がそれぞれ切り欠き形成されている。この切欠部３８内には、係止片部３９が枠部３５の側部から突出して設けられている。係止片部３９は、枠部３５の側方に突出して枠部３５の裏側に向けて屈曲された舌片状に形成され、取付部材３２の表側から裏側に向けて若干先細になっている。そして、図３に示す各係止片部３９の両側部は、各係止突部３７の両側部と略面一となっており、各係止片部３９の先端部は、枠部３５の裏側面と略面一になっている。
【００２７】
また、各係止片部３９には、枠体３３の側方に向けて係止部４１と、細長矩形状の挟持突部４２とがそれぞれ突出して一体に設けられている。
【００２８】
係止部４１は、係止片部３９の先端部に、図４に示す上下方向全体に亘って形成されている。この係止部４１の長手寸法、すなわち図４に示す上下方向の寸法は、係止孔部２９の長手寸法よりも小さく形成されている。また、挟持突部４２は、係止部４１よりも厚さ寸法が若干大きく、長手寸法は略等しく形成されている。係止部４１と挟持突部４２とは、図３に示す前後方向である図４に示す左右方向、すなわち取付部材３２の表裏方向に互いに離間されている。さらに、これら係止部４１と挟持突部４２とは、係止突部３７よりも側方に突出している。そして、係止部４１と挟持突部４２との間の距離寸法は、図１に示す係止孔部２９の上下方向における集塵蓋７と反対側の端部と嵌合部２８の先端部との間の距離寸法と略等しく形成されている。
【００２９】
枠部３５の係止突部３７の図３に示す下側には、突起部４３がそれぞれ一体に設けられている。これら突起部４３は、図３に示す枠部３５の上下方向に沿って設けられ、枠部３５の両側方に向けて突出している。また、各突起部４３の突出量は、係止突部３７の突出量よりも小さい。さらに、一方の突起部４３と他方の突起部４３との間の距離寸法は、取付部２７の取付リブ２５の内側面の間の距離寸法よりも若干大きく形成されている。そして、突起部４３の近傍の枠部３５は、係止突部３７よりも薄肉状に形成されている。
【００３０】
枠部３５の図３に示す上端部には、上端突出部４４が一体に設けられている。この上端突出部４４は、図４に示すように、枠部３５の裏側端から上方に向けて若干突出している。また、上端突出部４４の長手寸法、すなわち図３に示す左右方向寸法は、両係合リブ３１の間の距離寸法よりも大きく形成されている。したがって、この上端突出部４４は、取付部材３２を取付部２７内に取り付けた際に係合リブ３１の前部リブ２６と反対側に当接する。
【００３１】
さらに、枠部３５の下端部には、下端突出部４５が一体に設けられている。この下端突出部４５は、枠部３５の裏側端から下方に向けて若干突出している。また、下端突出部４５の長手寸法、すなわち図３に示す左右方向寸法は、リブ２３の幅方向の中心域に位置した一対の補強リブ２４の間の距離寸法よりも若干小さく形成されている。したがって、この下端突出部４５は、取付部材３２を取付部２７内に取り付けた際に、補強リブ２４の間に位置したリブ２３の前側面に当接する。
【００３２】
一方、フィルタ３４は、図３に示すように、例えばアナターゼ型の二酸化チタン（ＴｉＯ２）などの光触媒物質を有する光触媒部材としての光触媒シート４６と、竹炭物質としての竹炭シート４７とが交互に重ねられて矩形状に形成されている。ここで、光触媒シート４６は、幅方向に沿って上下方向に交互に波形状に湾曲されている。このため、フィルタ３４は、いわゆるハニカム構造となっている。
【００３３】
隔壁１１の本体ケース５の幅方向の一側寄りの位置には、図５に示すように、集塵室１２と電動送風機室１４とを互いに連通させる図示しない連通孔が設けられている。この連通孔の集塵室１２側には、集塵パック１７で捕捉できなかったさらに微細な細塵、あるいは集塵パック１７を集塵室１２内で着脱させた際に集塵室１２内に毀れて吸込風に混入した塵埃などを捕捉する下部フィルタ体４８が着脱可能に取り付けられる。
【００３４】
さらに、電動送風機室１４内において、電動送風機１３は、図示しないパッキングなどが周囲に嵌着され、吸込側である負圧側が連通孔に対して気密に接続されている。すなわち、電動送風機１３は、負圧側が集塵室１２に連通している。言い換えると、集塵室１２は、電動送風機１３の負圧側に連通している。
【００３５】
そして、電動送風機室１４内には、図示しない電源コードを巻回したコードリール、および、電源コードおよび電動送風機１３などと電気的に接続された図示しない回路基板なども収容されている。
【００３６】
また、電動送風機室１４の後部の電動送風機１３の後側には、複数の排気孔５８が貫通して設けられた排気パネル５９が、下部ケース体２と上部ケース体３との間に挟持されて取り付けられている。この排気パネル５９の各排気孔５８は、電動送風機１３の排気側である正圧側に連通されており、電動送風機１３から排気された排気風を本体ケース５の外部に排気させる。そして、バンパ４の電動送風機室１４側に位置した部分には、図６に示すように、複数の排気孔６０が貫通して設けられている。
【００３７】
一方、本体吸込口１５には、可撓性を有するホース体６１の基端が連通されて着脱可能に接続されている。このホース体６１の先端には、このホース体６１の基端側に向けて上側に突出した把持部６３が一体に設けられている。この把持部６３には、電動送風機１３などの動作モードを設定する複数の設定ボタン６４が設けられている。また、ホース体６１の先端側には、伸縮可能な接続管としての延長管６５を介して吸込口体としての床ブラシ６６が着脱可能に連通接続されている。すなわち、延長管６５は、ホース体６１、本体吸込口１５、集塵室１２および連通孔を介して電動送風機１３の吸込側に連通される。
【００３８】
次に、上記一実施の形態の動作を説明する。
【００３９】
まず、掃除をする際には、集塵蓋７を回動させて集塵室１２を開口させ、枠体３３にフィルタ３４を保持した取付部材３２を、集塵蓋７の取付部２７内に取り付ける。
【００４０】
このとき、作業者が、取付部材３２の両係止片部３９に指を掛けて取付部材３２を両側方から挟み、これら係止片部３９を取付部材３２の幅方向の中心側にそれぞれ押圧し、図７の想像線に示すように、係止片部３９を枠部３５の内側面近傍まで弾性変形させる。
【００４１】
すると、係止片部３９の周囲の枠部３５も係止片部３９とともに弾性変形し、突起部４３も係止片部３９に連動して枠部３５の幅方向の中心側に弾性変形する。ここで、突起部４３の弾性変形量は、図７に示すように、係止部４１の弾性変形量よりも少ない。
【００４２】
この状態で、取付部材３２を取付部２７内に挿入した後、各係止片部３９への押圧を開放すると、各係止片部３９が枠体３３の材質により復元し、図７の実線に示すように各係止片部３９が枠部３５の幅方向の外側へと広がることで、各係止部４１が係止孔部２９内に係止される。
【００４３】
同時に、各突起部４３も復元し、各取付リブ２５の内側面を外方向に押圧しつつこれら各取付リブ２５の内側面に当接し、取付部材３２を取付部２７に対して突っ張った状態に保持する。
【００４４】
また、上端突出部４４が係合リブ３１に当接して本体ケース５の前後方向に突っ張る。
【００４５】
そして、各係止片部３９の挟持突部４２と係止部４１とで、係止孔部２９の幅方向における集塵蓋７と反対側の端部と嵌合部２８の先端部との間の部分を挟持する。
【００４６】
さらに、集塵室１２内に集塵パック１７を取り付けた後、集塵蓋７を回動させて集塵室１２を閉塞するとともに、本体吸込口１５にホース体６１および延長管６５を介して床ブラシ６６を接続する。そして、設定ボタン６４を操作して電動送風機１３を駆動させ、ホース体６１の把持部６３を持って押動させて、床ブラシ６６を床面上で前後に走行させる。
【００４７】
このとき、電動送風機１３の駆動により発生する吸込力によって、床ブラシ６６の図示しない吸込口から空気とともに床面上の塵埃が吸い込まれる。
【００４８】
この後、床ブラシ６６の吸込口から塵埃とともに吸い込まれた空気は、延長管６５およびホース体６１を順次介して本体吸込口１５へと吸い込まれた後、集塵パック１７にて空気とともに吸い込んだ塵埃が捕捉されて集塵される。
【００４９】
そして、集塵パック１７を通過して集塵室１２内に溜まった吸込風には、取付部材３２が作用する。
【００５０】
すなわち、窓部２１から集塵室１２内に導入された本体ケース５の外部からの紫外線が光触媒シート４６に含まれる二酸化チタンなどに当たり、この二酸化チタンなどの表面から電子が飛び出してプラスの電荷を帯びた正孔（ホール）が形成され、この正孔が周囲の有機物から電子を奪って電気的に安定しようとする作用により、フィルタ３４に吸着された集塵室１２内の吸込風に含まれる臭気成分などが酸化されて分解され、集塵室１２内の吸込風が殺菌および消臭などされる。
【００５１】
さらに、取付部材３２により殺菌および消臭などされた集塵室１２内の吸込風は、下部フィルタ体４８にてさらに微細な塵埃を捕捉されて連通孔および電動送風機１３を通過して排気風となり、排気孔５８，６０から本体ケース５の外部へと排気される。
【００５２】
上述したように、上記一実施の形態によれば、取付部材３２に係止部４１と突起部４３とを設け、係止部４１および突起部４３を連動させて弾性変形させて取付部材３２を取付部２７に取り付けて弾性変形を復元させることにより、係止部４１と突起部４３とが取付部２７に引っ掛かるなどせず、取付部材３２を取付部２７に対して容易に着脱できる。
【００５３】
また、係止部４１を係止孔部２９に係合させるとともに、突起部４３を取付リブ２５の側面部に当接させることで、係止部４１と突起部４３とで取付部材３２を取付部２７に確実に固定できる。
【００５４】
さらに、挟持突部４２を係止部４１に略平行に設け、この挟持突部４２と係止部４１とで係止孔部２９の幅方向における集塵蓋７と反対側の端部と嵌合部２８の先端部との間を挟持するため、取付部材３２を取付部２７に、より確実に固定できる。
【００５５】
またさらに、両突起部４３，４３の間の距離寸法を、取付部２７の両取付リブ２５，２５の間の距離寸法よりも大きくしたことにより、係止部４１の弾性変形が復元した状態で各突起部４３が各取付リブ２５の側面部を押圧して突っ張るため、取付部材３２を取付部２７に対して、より確実に固定できる。
【００５６】
そして、取付部材３２に上端突出部４４を設け、取付部材３２を取付部２７に取り付けた際に、上端突出部４４を取付部２７に設けた係合リブ３１に当接させることで、取付部材３２をさらに確実に取付部２７に固定できる。
【００５７】
この結果、例えば電動送風機１３の駆動などにより本体ケース５が振動しても、取付部材３２が集塵蓋７に対して移動せず、異音などの発生を防止できる。
【００５８】
また、突起部４３の弾性変形量を係止部４１の弾性変形量よりも少なくしたことにより、突起部４３が取付リブ２５の側面部を突っ張る力が弱くなることを防止できるとともに、取付部材３２を取付部２７に繰り返し着脱させても突起部４３が弱りにくい。
【００５９】
しかも、突起部４３の突出量を係止部４１の突出量よりも少なくしていることにより、突起部４３の弾性変形量を係止部４１の弾性変形量よりも少なくしても、取付部材３２を取付部２７に確実に固定できる。
【００６０】
さらに、集塵蓋７に設けた窓部２１から集塵室１２内に導入された紫外線で励起される光触媒シート４６を備えたフィルタ３４を取付部材３２に使用することで、集塵室１２内を光触媒シート４６の作用で消臭および殺菌でき、衛生性を向上できる。
【００６１】
またさらに、取付部材３２を窓部２１に対向させて取り付けていることにより、窓部２１から集塵室１２内に導入される紫外線を、取付部材３２のフィルタ３４の光触媒シート４６に対して効果的に作用できる。
【００６２】
そして、取付部材３２のフィルタ３４に竹炭シート４７を使用することで、集塵室１２内の臭気成分をより確実にフィルタ３４で吸着できる。
【００６３】
また、フィルタ３４を枠体３３から着脱できることで、フィルタ３４を洗浄でき、取付部材３２の消臭効果を長期に亘って持続できるとともに、消臭効果が低下した場合にはフィルタ３４だけを交換できる。
【００６４】
さらに、フィルタ３４の光触媒シート４６を波形状に形成したことにより、フィルタ３４の表面積を拡大して取付部材３２の吸着効果および消臭効果などを、より向上できるとともに、本体ケース５の外部から窓部２１を介してフィルタ３４が露出していても見栄えを向上できる。
【００６５】
なお、上記一実施の形態において、キャニスタ型の電気掃除機に限らず、床ブラシ６６が本体ケース５の下面に直接形成されたアップライト型、その他、本体ケース５と床ブラシ６６とが一体化された自走式の電気掃除機あるいはハンディ型などであっても対応させて用いることができる。
【００６６】
また、電気掃除機１は、集塵パック１７で集塵するものに限らず、いわゆるサイクロン式などでも対応させて用いることができる。
【００６７】
さらに、取付部材３２に係止部４１および突起部４３の形状、あるいは取付部材３２の取り付け位置などは、上記構成に限定されるものではなく、発明の要旨を逸脱しない範囲の設計の変更などは、この発明に含まれる。
【００６８】
そして、取付部材３２は、殺菌、消臭、抗菌および殺虫の少なくともいずれか一つの作用を有していればよく、他の様々な作用を有する構成なども可能である。
【００６９】
【発明の効果】
本発明によれば、係止部を弾性変形させることで突起部も弾性変形するので、取付部材を掃除機本体内に取り付ける際に係止部および突起部が引っ掛かることなどがなく容易に着脱でき、かつ係止部および突起部の弾性変形が復元して係止部が係止孔部に係止され、突起部が掃除機本体内の一部に当接することで、取付部材を確実に固定できる。
【図面の簡単な説明】
【図１】本発明の電気掃除機の一実施の形態の一部を拡大して示す斜視図である。
【図２】同上電気掃除機の一部を示す平面図である。
【図３】同上電気掃除機の取付部材を示す平面図である。
【図４】同上取付部材を示す側面図である。
【図５】同上電気掃除機を示す断面図である。
【図６】同上電気掃除機を示す斜視図である。
【図７】同上電気掃除機の取付部材の弾性変形状態を拡大して示す平面図である。
【符号の説明】
１    電気掃除機
５    掃除機本体としての本体ケース
１２    集塵室
１３    電動送風機
２１    窓部
２９    係止孔部
３２    取付部材
４１    係止部
４３    突起部
４６    光触媒部材としての光触媒シート
【図１】
2004229968.tif 000003
【図２】
2004229968.tif 000004
【図３】
2004229968.tif 000005
【図４】
2004229968.tif 000006
【図５】
2004229968.tif 000007
【図６】
2004229968.tif 000008
【図７】
2004229968.tif 000009